(57)【特許請求の範囲】
【請求項１】
コネクタハウジングに挿抜する光コネクタであって、
前面が接合端面であるフェルールを収容するハウジングと、
前記ハウジングを囲む筒状とされ前記ハウジングに対し前後に移動可能なカップリングと、
前記ハウジングの後方側に設けられて前記ハウジングに対し前後に移動可能なカップリング係合部材と、
前記フェルールに接続された光ファイバが挿通する筒状とされ、前記カップリング係合部材に取り付けられて後方に延出するブーツとを備え、
前記カップリングと前記カップリング係合部材に、互いを係合可能な係合構造を設け、
前記コネクタハウジングに挿入する場合、前記カップリング係合部材を前記ハウジングに第１位置で当接させてこれを前方に押圧しつつ前記コネクタハウジングに近接させて挿入し、
前記コネクタハウジングから抜きとる場合、前記カップリング係合部材と前記カップリングを、前記第１位置より後方の第２位置で前記係合構造によって互いに係合させ、係合した前記カップリング係合部材をコネクタハウジングから離間させて抜きとる光コネクタ。
【請求項２】
前記カップリング係合部材は、ハウジングを囲む筒状の本体部と、前記本体部の相対向する両側板部からそれぞれ前方に延出した一対の延出部とを有し、
前記係合構造は、前記一対の延出部にそれぞれ設けられている請求項１に記載の光コネクタ。
【請求項３】
前記係合構造が、前記カップリングと前記カップリング係合部材のうち一方に設けられた係合凹部と、他方に設けられて前記係合凹部に係合可能な係合凸部とからなり、
前記係合凹部の前後方向寸法が前記係合凸部の前後方向寸法より大きくされ、前記係合凸部が前記係合凹部内に入った状態で相対的に前後移動可能とされている請求項１又は２に記載の光コネクタ。
【請求項４】
前記ブーツの後部に、外方に張り出した形状の操作部が形成されている請求項１〜３のいずれかに記載の光コネクタ。
【請求項５】
前記ブーツは、前記光ファイバが挿通する筒状の連結部材を介して前記カップリング係合部材に取り付けられる請求項１〜４のいずれかに記載の光コネクタ。
【請求項６】
前記連結部材は、半筒状の第１半体と半筒状の第２半体とを向かい合わせて結合した構成である請求項５に記載の光コネクタ。
【請求項７】
前記連結部材は、前記カップリング係合部材に形成された嵌合口部に嵌合可能な嵌合凸部を有し、
前記嵌合凸部が前記嵌合口部に嵌合することによって前記連結部材が前記カップリング係合部材に取り付けられる請求項５または６に記載の光コネクタ。
【請求項８】
前面が接合端面であるフェルールを収容するハウジングと、
前記ハウジングを囲む筒状とされ前記ハウジングに対し前後に移動可能なカップリングと、
前記ハウジングの後方側に設けられて前記ハウジングに対し前後に移動可能なカップリング係合部材と、
前記フェルールに接続された光ファイバが挿通する筒状とされ、前記カップリング係合部材に取り付けられて後方に延出するブーツとを備え、
前記カップリングと前記カップリング係合部材に、互いを係合可能な係合構造を設けた光コネクタをコネクタハウジングに挿抜する方法であって、
前記コネクタハウジングに挿入する場合、前記カップリング係合部材を前記ハウジングに第１位置で当接させてこれを前方に押圧しつつ前記コネクタハウジングに近接させて挿入し、
前記コネクタハウジングから抜きとる場合、前記カップリング係合部材と前記カップリングを、前記第１位置より後方の第２位置で前記係合構造によって互いに係合させ、係合した前記カップリング係合部材をコネクタハウジングから離間させて抜きとる光コネクタの挿抜方法。
【発明の詳細な説明】
【技術分野】
【０００１】
本発明は光コネクタ、および光コネクタをコネクタハウジング（光コネクタアダプタ等）に対し挿抜する方法に関する。
【背景技術】
【０００２】
従来、コネクタハウジング（光コネクタアダプタ等）にプッシュオン方式で係合する多心光コネクタ（例えばＭＰＯ形光コネクタ：ＪＩＳ  Ｃ５９８２に制定されるＦ１３形光コネクタ）が用いられている（例えば、特許文献１参照）。
コネクタハウジングが高密度に配置された光配線盤等では、隣り合うコネクタハウジングが互いに近いため、光コネクタ間に手指を差し入れることが困難となり、光コネクタの挿抜操作（例えば、カップリングを把持して後方移動させて光コネクタを引き抜く操作）がしにくくなる。
【０００３】
このため、カップリングに係合可能な係合部材を設け、この係合部材に後方に延出する操作スティックを設けた光コネクタが提案されている。
図７は、操作スティックを設けた光コネクタの一例を示すもので、ここに示す光コネクタ１１０は、光ファイバ１１の先端に取り付けられたフェルール１２を有するコネクタ本体１と、カップリング２と、カップリング２に係合可能な係合部材１０３と、ブーツ１０４と、係合部材１０３から後方に延出する操作スティック１０５とを備えている。
操作スティック１０５の延出端には操作用のヘッド部１０５ａが形成されている。操作スティック１０５は、光ファイバ１１に干渉するのを避けるため光コネクタ１１０の中心軸から外れた位置に形成されている。符号７は光コネクタ１１０が挿抜される光コネクタアダプタである。
【０００４】
この光コネクタ１１０では、操作スティック１０５を後方に引くと、係合部材１０３に伴ってカップリング２が後方移動するため、光コネクタアダプタ７のラッチ７２が解放され、光コネクタ１１０は光コネクタアダプタ７から引き抜かれる。
操作スティック１０５を前方に押すと、係合部材１０３がコネクタ本体１を前方に移動させて光コネクタアダプタ７に挿入させるとともに、ラッチ７２がコネクタ本体１の係合凹所１５ｂに係合する。
【先行技術文献】
【特許文献】
【０００５】
【特許文献１】米国特許出願公開第２００９／２８５５３４号明細書
【発明の概要】
【発明が解決しようとする課題】
【０００６】
しかしながら、光コネクタ１１０では、操作スティック１０５のヘッド部１０５ａが光コネクタ１１０の中心軸から外れた位置に形成されているため、操作スティック１０５を操作する際に、軸方向に対して傾いた方向の力が光コネクタ１１０にかかるという懸念があった。
また、光コネクタ１１０の中心軸から外れた位置に操作スティック１０５があるため、操作者が光コネクタ１１０の先端位置を把握しにくく、特に光コネクタ１１０を光コネクタアダプタ７に挿入する操作がやりにくかった。
本発明は、上記事情に鑑みてなされたもので、光コネクタをコネクタハウジングに挿抜操作する際に光コネクタに無理な力がかかることがなく、しかも挿抜操作の作業性が良好となる光コネクタおよび光コネクタの挿抜方法を提供することを目的とする。
【課題を解決するための手段】
【０００７】
本発明の光コネクタは、コネクタハウジングに挿抜する光コネクタであって、前面が接合端面であるフェルールを収容するハウジングと、前記ハウジングを囲む筒状とされ前記ハウジングに対し前後に移動可能なカップリングと、前記ハウジングの後方側に設けられて前記ハウジングに対し前後に移動可能なカップリング係合部材と、前記フェルールに接続された光ファイバが挿通する筒状とされ、前記カップリング係合部材に取り付けられて後方に延出するブーツとを備え、前記カップリングと前記カップリング係合部材に、互いを係合可能な係合構造を設け、前記コネクタハウジングに挿入する場合、前記カップリング係合部材を前記ハウジングに第１位置で当接させてこれを前方に押圧しつつ前記コネクタハウジングに近接させて挿入し、前記コネクタハウジングから抜きとる場合、前記カップリング係合部材と前記カップリングを、前記第１位置より後方の第２位置で前記係合構造によって互いに係合させ、係合した前記カップリング係合部材をコネクタハウジングから離間させて抜きとる光コネクタである。
本発明の光コネクタは、前記カップリング係合部材がは、ハウジングを囲む筒状の本体部と、前記本体部の相対向する両側板部からそれぞれ前方に延出した一対の延出部とを有し、前記係合構造が、前記一対の延出部にそれぞれ設けられていることが好ましい。
本発明の光コネクタは、前記係合構造が、前記カップリングと前記カップリング係合部材のうち一方に設けられた係合凹部と、他方に設けられて前記係合凹部に係合可能な係合凸部とからなり、前記係合凹部の前後方向寸法が前記係合凸部の前後方向寸法より大きくされ、前記係合凸部が前記係合凹部内に入った状態で相対的に前後移動可能とされていることが好ましい。
本発明の光コネクタは、前記ブーツの後部に、外方に張り出した形状の操作部が形成されていることが好ましい。
前記ブーツは、前記光ファイバが挿通する筒状の連結部材を介して前記カップリング係合部材に取り付けられる構成とすることができる。
前記連結部材は、半筒状の第１半体と半筒状の第２半体とを向かい合わせて結合した構成とすることができる。
前記連結部材は、前記カップリング係合部材に形成された嵌合口部に嵌合可能な嵌合凸部を有し、前記嵌合凸部が前記嵌合口部に嵌合することによって前記連結部材が前記カップリング係合部材に取り付けられる構成とすることができる。
【０００８】
本発明の光コネクタの挿抜方法は、前面が接合端面であるフェルールを収容するハウジングと、前記ハウジングを囲む筒状とされ前記ハウジングに対し前後に移動可能なカップリングと、前記ハウジングの後方側に設けられて前記ハウジングに対し前後に移動可能なカップリング係合部材と、前記フェルールに接続された光ファイバが挿通する筒状とされ、前記カップリング係合部材に取り付けられて後方に延出するブーツとを備え、前記カップリングと前記カップリング係合部材に、互いを係合可能な係合構造を設けた光コネクタをコネクタハウジングに挿抜する方法であって、前記コネクタハウジングに挿入する場合、前記カップリング係合部材を前記ハウジングに第１位置で当接させてこれを前方に押圧しつつ前記コネクタハウジングに近接させて挿入し、前記コネクタハウジングから抜きとる場合、前記カップリング係合部材と前記カップリングを、前記第１位置より後方の第２位置で前記係合構造によって互いに係合させ、係合した前記カップリング係合部材をコネクタハウジングから離間させて抜きとる光コネクタの挿抜方法である。
【発明の効果】
【０００９】
本発明によれば、ブーツがカップリング係合部材に取り付けられており、カップリング係合部材が第１位置でハウジングを前方に押圧可能であり、かつ第２位置でカップリングに係合してこれを後方に引っ張ることができるので、ブーツを操作することによって、光コネクタの挿入および引き抜き操作が可能となる。
ブーツは、光ファイバが挿通する筒状部材であるため、コネクタ本体およびカップリングに力が加えられる位置は光コネクタの中心軸に近くなる。このため、光コネクタに無理な力（例えば中心軸に対し傾斜した方向の力）が加えられることがない。
また、ブーツは光ファイバが挿通する筒状部材であるので、光コネクタの中心軸に近い位置にある。このため、光コネクタをコネクタハウジングに挿入する操作などの際に、操作者が光コネクタの先端位置を把握しやすい。
従って、コネクタハウジングが高密度に配置された光配線盤等においても、光コネクタの挿抜操作の作業性が良好となる。
【図面の簡単な説明】
【００１０】
【図１】本発明に係る一実施形態の光コネクタを示す全体斜視図である。
【図２】図１の光コネクタの構成を説明する分解斜視図である。
【図３】図１の光コネクタの断面図である。
【図４】図１の光コネクタの動作を説明する説明図である。
【図５】図１の光コネクタの動作を説明する説明図である。
【図６】図１の光コネクタの動作を説明する説明図である。
【図７】従来の光コネクタの一例を示す全体斜視図である。
【発明を実施するための形態】
【００１１】
以下、本発明を実施した光コネクタについて、図面を参照して説明する。
図１は、本発明の一実施形態である光コネクタ１を示す斜視図である。図２は、光コネクタ１の分解斜視図である。図３は、光コネクタ１の断面図である。
以下、図１〜図３における「前」および「後」を参照して構成部材の位置関係を説明する場合がある。また、筒状の部材についての「軸方向」とは、その部材の中心軸方向をいう。図２において、Ｃ１はハウジング１５、カップリング２およびカップリング係合部材３の中心軸であり、その方向は前後方向に一致する。
【００１２】
図１に示すように、光コネクタ１０は、コネクタ本体１と、コネクタ本体１に対し前後に移動可能なカップリング２と、コネクタ本体１の後方に設けられたカップリング係合部材３と、カップリング係合部材３から後方に延出するブーツ４と、ブーツ４をカップリング係合部材３に連結する連結部材５とを備えている。
光コネクタ１０には、ＭＰＯ形光コネクタ（ＪＩＳ  Ｃ５９８２に制定されるＦ１３形光コネクタ。ＭＰＯ:Multi-fiber Push On）の構造を採用することができる。
【００１３】
図２および図３に示すように、コネクタ本体１は、光ファイバ１１の先端に取り付けられたフェルール１２（光フェルール）と、フェルール１２を前方に弾性付勢するスプリング１３（例えばコイルスプリング。図３参照）と、スプリング１３の後端が当接する当接部材１４（図３参照）と、これらを収納する筒状のハウジング１５とを備えている。
フェルール１２は、例えばＭＴ形光コネクタなどの多心コネクタであって、前面が接合端面１２ａとされている。フェルール１２の後側にはスプリング受け１６が設けられている。フェルール１２にはガイドピン（図示略）が挿入されるガイドピン穴１２ｂが形成されている。
【００１４】
スプリング１３の前端はスプリング受け１６に当接している。スプリング１３は、当接部材１４の受け部１４ａに反力をとって、スプリング受け１６を介してフェルール１２を前方に付勢することができる。
当接部材１４は、ハウジング１５に後端側から嵌入される本体部１４ａと、本体部１４ａから後方に延出する延出部１４ｂとを有する。図３の符号１４ｃは、光ファイバ１１に抗張力繊維を用いた場合に抗張力繊維を延出部１４ｂにカシメ固定するカシメリングである。
【００１５】
ハウジング１５の外側面には、係合突部１５ａが形成され、係合突部１５ａの後方側は、後述する光コネクタアダプタ７のラッチ７２のラッチ凸部７２ａが係合する係合凹所１５ｂとなっている。
【００１６】
図２に示すように、カップリング２は、ハウジング１５を囲む筒状とされ、互いに平行な一対の平板部２１（基板部）と、これら平板部２１の両側縁に設けられた側板部２２とを有する。これら側板部２２、２２は相対向して形成されている。
側板部２２は、断面略円弧状に湾曲した形状とされ、その外面には、前後方向に沿って溝状のガイド部２３が形成されている。
ガイド部２３は、両側板部２２にそれぞれ形成され、ガイド部２３の底面には、後述する係合構造６を構成する係合凸部２４が形成されている。係合凸部２４は、平面視矩形状の凸部である。
【００１７】
カップリング２は、ハウジング１５に対して前後にスライド移動可能とされており、ハウジング１５に対して後方にスライド移動することによって、ハウジング１５に対する光コネクタアダプタ７のラッチ７２（図４〜図６参照）の係合を解除可能である。
カップリング２のスライド移動によって光コネクタアダプタに対する係合維持と係合解除とを切り替える機構（いわゆるプッシュオン機構）については後述する。
【００１８】
カップリング２は、スプリング２５によってハウジング１５に対し前方に付勢される。スプリング２５は、ハウジング１５の外面に形成された段部１５ｃに反力をとってカップリング２の内面に形成された当接凸部２ａを前方に付勢する（図３参照）。
【００１９】
カップリング係合部材３は、筒状の本体部３１と、本体部３１から前方に延出する一対の延出部３２とを備えており、コネクタ本体１およびカップリング２に対し前後に移動可能とされている。
カップリング係合部材３は、硬質の樹脂、例えばポリエチレン、ポリプロピレン等で形成することによって、十分な剛性をもたせるのが好ましい。
【００２０】
本体部３１は、互いに平行な一対の平板部３３（基板部）と、これら平板部３３の両側縁に設けられた側板部３４とを有する。
側板部３４は断面略円弧状に湾曲しており、平板部３３よりやや厚く形成されている。これら側板部３４、３４は相対向して形成されている。
【００２１】
図３に示すように、本体部３１の前端（図示例では側板部３４の前端３４ａの端面の内周部分である当接部３４ｂ）は、ハウジング１５の後端部に当接可能となっている。なお、本体部３１は、平板部３３の前端がハウジング１５の後端部に当接可能であってもよい。
側板部３４の後部には、後述する連結部材５の嵌合凸部５４が嵌合する嵌合口部３５が形成されている。
【００２２】
延出部３２は、一対の側板部３４それぞれの前端３４ａから前方に延出する断面略円弧状の板状に形成されている。延出部３２は側板部３４より薄く、その外面は側板部３４の外面に沿って形成されている。
延出部３２は、カップリング２のガイド部２３内に前後方向に移動可能に配置される。延出部３２は、ガイド部２３によって上下方向（延出部３２の幅方向）の移動を規制された状態で前後方向に移動できる。
【００２３】
これら一対の延出部３２には、それぞれ係合口部３６（係合凹部）が形成されている。係合口部３６の前後方向寸法は、カップリング２の係合凸部２４の前後方向寸法より大きくされており、これによって係合口部３６内に係合凸部２４が入った状態でカップリング係合部材３がカップリング２に対し相対的に前後に移動可能となっている。
係合口部３６の上下方向寸法は、カップリング２の係合凸部２４にほぼ等しいか、またはこれよりやや大きくすることができる。
【００２４】
係合口部３６と、カップリング２の係合凸部２４とは、互いを係合可能な係合構造６を構成する。係合構造６は、カップリング２とカップリング係合部材３の両側部にそれぞれ設けられている。
なお、カップリングとカップリング係合部材との係合構造はこれに限らず、カップリングに形成された係合凹部と、カップリング係合部材に形成された係合凸部からなる構造であってもよい。この場合でも、係合凹部の前後方向寸法が係合凸部の前後方向寸法より大きくされ、係合凸部が係合凹部内に入った状態で相対的に前後移動可能とされる。
【００２５】
ブーツ４は、フェルール１２に接続された光ファイバ１１が挿通する筒状部材であり、例えばゴム、ポリエチレン等によって形成することができる。ブーツ４は、曲げ変形を許容する程度の可撓性を有することが好ましい。
【００２６】
ブーツ４は、前端突部４１と、前端突部４１から後方に向かって徐々に径が小さくなるテーパ筒部４２と、テーパ筒部４２の後端部に形成された操作部４３とを有する。
前端突部４１は、テーパ筒部４２の前端から突出する筒状の細径部４４と、首部４４の前端側に設けられた太径部４５とを有する。細径部４４はテーパ筒部４２の前端部より細径とされている。
【００２７】
操作部４３は、光コネクタ１０の挿抜操作のために操作者がブーツ４を前後方向に押圧する際に、押圧力がブーツ４に加えられやすくするもので、外方に張り出した形状、すなわち幅または高さがテーパ筒部４２に比べて大きい形状とされている。図示例では、操作部４３は、テーパ筒部４２の後端部から後方に向けて徐々に幅および高さが大きくなる拡径部４３ａと、拡径部４３ａの後方に形成された一定外径の定径部４３ｂとを有する。
【００２８】
連結部材５は、光ファイバ１１が挿通する筒状部材であって、筒状の本体部５１と、その前端５１ａから前方に延出する挿入筒部５２とを有する。連結部材５は、硬質の樹脂、例えばポリエチレン、ポリプロピレン等で形成することによって、十分な剛性をもたせるのが好ましい。
本体部５１の後端部内面には、内方に突出する係止凸部５３が形成されている。係止凸部５３は、ブーツ４の太径部４５の後方側に配置され、太径部４５の後面に係止してブーツ４の後方移動を規制する。係止凸部５３には、テーパ筒部４２の前端面に当接することでブーツ４の前方移動を規制する機能もある。
【００２９】
挿入筒部５２の外面には、カップリング係合部材３の嵌合口部３５に嵌合可能な嵌合凸部５４が外方に突出して形成されている。
挿入筒部５２は、カップリング係合部材３の本体部３１に後方から挿入され、嵌合凸部５４が嵌合口部３５に嵌合することによってカップリング係合部材３に取り付けられる。
【００３０】
図２に示すように、連結部材５は、連結部材５を軸方向に沿って２つ割りとした概略半筒状の第１半体５５Ａと概略半筒状の第２半体５５Ｂとを向かい合わせて結合した構成とすることができる。
第１半体５５Ａに嵌合穴５６ａおよび嵌合突起５６ｂを形成し、第２半体５５Ｂに嵌合穴５６ａに嵌合する嵌合突起（図示略）と、嵌合突起５６ｂが嵌合する嵌合穴（図示略）を形成することによって、第１半体５５Ａと第２半体５５Ｂとの位置決めを容易にすることができる。
【００３１】
光ファイバ１１としては、特に限定されないが、４心、８心、１２心等の光ファイバテープ心線などの多心光ファイバを例示できる。図示例の光ファイバ１１は、積層された複数の光ファイバテープ心線からなる。
【００３２】
次に、この光コネクタ１０を、光コネクタアダプタ７（コネクタハウジング）に対し挿抜する動作について、図４〜図６を参照しつつ説明する。
各図において、光コネクタアダプタ７は、挿入口７３を有する本体部７１内に、一対のラッチ７２が形成されている。
【００３３】
まず、光コネクタ１０の挿入操作について説明する。
図４に示すように、コネクタ本体１を光コネクタアダプタ７に近接させ、挿入口７３に挿入する。
この挿入操作は、ブーツ４を把持して行うことができる。把持位置はブーツ４の後端の操作部４３とすることができる。
ブーツ４を前方に押圧すると、その押圧力はカップリング係合部材３に伝えられ、本体部３１の前端（図示例では側板部３４の当接部３４ｂ）がハウジング１５の後端１５ｄに前方への力を加えることによって、コネクタ本体１は前方に移動する。
以下、図４に示すカップリング係合部材３の位置（側板部３４の当接部３４ｂがハウジング１５に当接している位置）を第１位置Ｐ１という。
図４に示す状態では、カップリング２の係合凸部２４は係合口部３６内にあって前縁３６ａから離れた位置にある（すなわちカップリング係合部材３とカップリング２とが非係合状態にある）。この状態では、カップリング２とカップリング係合部材３は、係合凸部２４が係合口部３６内を移動できる範囲で相対的に前後に移動自在である。
【００３４】
コネクタ本体１の前方移動によってハウジング１５の係合突部１５ａがラッチ７２を外方（ラッチ７２どうしの距離が大きくなる方向）に変位させる。変位したラッチ７２はカップリング２の前進を規制する。
【００３５】
図５に示すように、カップリング２の前進が規制される一方、ハウジング１５は前方移動するため、係合凹所１５ｂが露出し、ラッチ７２は内方変位するとともにラッチ凸部７２ａが係合凹所１５ｂに係合する。
ラッチ７２の内方変位によってカップリング２の前進規制が解除されるため、カップリング２はスプリング２５の弾性力により前進する。
図５は、光コネクタアダプタ７への光コネクタ１０の挿入が完了した状態を示す。
【００３６】
次いで、光コネクタ１０の引き抜き操作について説明する。
図６に示すように、引き抜き操作は、ブーツ４を把持して行うことができる。把持位置はブーツ４の後端の操作部４３とすることができる。
ブーツ４を後方に引っ張ると、その引張力はカップリング係合部材３に伝えられ、延出部３２に形成された係合口部３６の前縁３６ａがカップリング２の係合凸部２４に後方への力を加えることによって、カップリング２は後方に移動する。
【００３７】
カップリング２の後方移動によって、ハウジング１５の係合凹所１５ｂが露出し、ラッチ７２は外方変位可能な状態となる。
カップリング２をさらに後方移動させると、スプリング２５によってコネクタ本体１に後方への力が加えられ、コネクタ本体１も後方移動し始め、係合突部１５ａがラッチ７２を外方に変位させ、係合凹所１５ｂに対するラッチ凸部７２ａの係合が解除される。
ブーツ４をさらに後方に引っ張ると、カップリング係合部材３が光コネクタアダプタ７から離間するとともに、光コネクタ１０全体が光コネクタアダプタ７から引き抜かれる。
【００３８】
図６に示すカップリング係合部材３の位置（コネクタ本体１に対するカップリング係合部材３の相対位置）を第２位置Ｐ２という。
この第２位置Ｐ２は前記第１位置Ｐ１より後方であり、この第２位置では、係合口部３６の前縁３６ａがカップリング２の係合凸部２４に当接しており（すなわち係合構造６によってカップリング係合部材３がカップリング２に係合している）、係合凸部２４に後方への力を加えることができる。
【００３９】
光コネクタ１０は、ブーツ４がカップリング係合部材３に取り付けられており、カップリング係合部材３が第１位置Ｐ１（図４参照）でハウジング１５を前方に押圧可能であり、かつ第２位置Ｐ２（図６参照）でカップリング２に係合してこれを後方に引っ張ることができるので、ブーツ４を操作することによって、光コネクタ１０の挿入および引き抜き操作が可能となる。
【００４０】
ブーツ４は、光ファイバ１１が挿通する筒状部材であるため、コネクタ本体１およびカップリング２に力が加えられる位置は光コネクタ１０の中心軸に近くなる。このため、光コネクタ１０に無理な力（例えば中心軸に対し傾斜した方向の力）が加えられることがない。
また、ブーツ４は光ファイバ１１が挿通する筒状部材であるので、光コネクタ１０の中心軸に近い位置にある。このため、ブーツ４を把持して光コネクタ１０を光コネクタアダプタ７に挿入する操作などの際に、操作者が光コネクタ１０の先端位置を把握しやすい。
従って、光コネクタアダプタ７が高密度に配置された光配線盤等においても、光コネクタ１０の挿抜操作の作業性が良好となる。
【００４１】
本発明は、ＭＰＯ形光コネクタ以外の多心用あるいは単心用の各種光コネクタにも幅広く適用できる。また、光コネクタの接続対象となるコネクタハウジングは、光コネクタアダプタに限らず、光コネクタレセプタクルでもよい。光ファイバとしては、光ファイバテープ心線などの多心光ファイバを例示したが、単心の光ファイバ心線等も採用可能である。
【符号の説明】
【００４２】
１・・・光コネクタ、２・・・カップリング、３・・・カップリング係合部材、４・・・ブーツ、５・・・連結部材、６・・・係合構造、７・・・光コネクタアダプタ（コネクタハウジング）、１０・・・光コネクタ、１２・・・フェルール、１２ａ・・・接合端面、１５・・・ハウジング、１５ｂ・・・係合凹所、２４・・・係合凸部、３４・・・側板部、３５・・・嵌合口部、３６・・・係合口部（係合凹部）、４３・・・操作部、５４・・・嵌合凸部、５５Ａ・・・第１半体、５５Ｂ・・・第２半体、７２・・・ラッチ、７２ａ・・・ラッチ凸部、７３・・・挿入口、Ｐ１・・・第１位置、Ｐ２・・・第２位置。
【図１】
0005439319.tif 000002
【図２】
0005439319.tif 000003
【図３】
0005439319.tif 000004
【図４】
0005439319.tif 000005
【図５】
0005439319.tif 000006
【図６】
0005439319.tif 000007
【図７】
0005439319.tif 000008